(57)【要約】【課題】  画像形成装置に係る開閉手段の動作と電源の異常発生とを区別して判断することである。【解決手段】  交流電源ＡＣから直流電源を生成し動力負荷へ電力供給を行う第１直流電源ＤＣ１と、第１直流電源ＤＣ１に接続され開閉部３１０の開閉動作に連動して電気的に動力負荷への電力供給を遮断するインターロックスイッチ３１１と、インターロックスイッチ３１１を介さず各種制御部へ電力供給を行う第２直流電源ＤＣ２と、を有する画像形成装置１において、第１直流電源ＤＣの出力電圧の監視を行う第１監視部２１２と、開閉部３１０の開閉状態を検知する開閉検知部３１２と、開閉検知部３１２からの開閉状態検知信号の監視を行う第２監視部２１３と、第１監視部２１２からの第１電圧監視情報と第２監視部２１３からの開閉監視情報とに基づいて、開閉部３１０の開閉状態の判断を行う第１判断部２１１と、を備える。【選択図】図２
2005157204.tif 000002
【特許請求の範囲】
【請求項１】
筐体に設けられた開閉手段の開閉に連動してオン／オフ動作するインターロックスイッチと、このインターロックスイッチのオン／オフ動作に依存して交流電源から第１の直流電圧を生成する第１直流安定化電源と、この第１直流安定化電源とは別に前記交流電源から第２の直流電圧を生成する第２直流安定化電源と、を備えた画像形成装置において、
前記第１直流安定化電源から出力される第１直流電圧の監視を行う第１直流電圧監視手段と、
前記開閉手段の開閉状態を検知する開閉検知手段と、
前記開閉検知手段からの開閉状態検知信号の監視を行う開閉状態検知信号監視手段と、
前記第１直流電圧監視手段からの電圧監視情報と前記開閉状態検知信号監視手段からの開閉監視情報とに基づいて、前記開閉手段の開閉状態の確認判断を行う開閉確認判断手段と、を備え、
前記第１直流電圧監視手段、開閉検知手段、開閉状態検知信号監視手段及び開閉確認判断手段は、前記第２直流安定化電源から出力される第２の直流電圧の電力供給を受けるように構成されたこと、
を特徴とする画像形成装置。
【請求項２】
請求項１に記載の画像形成装置において、
前記開閉確認判断手段は、前記第１直流電圧監視手段からの電圧監視情報及び前記開閉状態検知信号監視手段からの開閉監視情報に基づいて、前記第１直流安定化電源側及び前記第２直流安定化電源側の異常の判断を行うこと、
を特徴とする画像形成装置。
【請求項３】
請求項１又は２に記載の画像形成装置において、
前記開閉確認判断手段は、前記第１直流電圧監視手段からの電圧監視情報が予め設定されている基準値に有る場合、かつ、前記開閉状態検知信号監視手段からの開閉監視情報が閉状態を示している場合、
前記開閉手段は閉状態であると判断すること、
を特徴とする画像形成装置。
【請求項４】
請求項１から３のいずれか一項に記載の画像形成装置において、
前記開閉確認判断手段は、前記第１直流電圧監視手段からの電圧監視情報が予め設定されている基準値に無い場合、かつ、前記開閉状態検知信号監視手段からの開閉監視情報が開状態を示している場合、
前記開閉手段は開状態であると判断すること、
を特徴とする画像形成装置。
【請求項５】
請求項２から４のいずれか一項に記載の画像形成装置において、
前記開閉確認判断手段は、前記第１直流電圧監視手段からの電圧監視情報が予め設定された基準値に無い場合、かつ、前記開閉状態検知信号監視手段の開閉監視情報が閉状態を示している場合、
前記第１直流安定化電源側に異常が発生していると判断すること、
を特徴とする画像形成装置。
【請求項６】
請求項２から５のいずれか一項に記載の画像形成装置において、
前記開閉確認判断手段は、前記第１直流電圧監視手段からの電圧監視情報が予め設定された基準値に有る場合、かつ、前記開閉状態検知信号監視手段の開閉監視情報が開状態を示している場合、
前記第２直流安定化電源側に異常が発生していると判断すること、
を特徴とする画像形成装置。
【請求項７】
請求項１から６のいずれか一項に記載の画像形成装置において、
前記第２直流安定化電源から分岐された電力供給路の出力電圧を監視する第２直流電圧監視手段と、
前記第２直流電圧監視手段からの電圧監視情報が予め定められた基準値に無い場合、前記第２直流安定化電源から分岐された電力供給路に異常が発生していると判断する第２電源動作確認判断手段と、
を備えること、
を特徴とする画像形成装置。
【請求項８】
請求項１から７のいずれか一項に記載の画像形成装置において、
前記開閉確認判断手段及び／又は前記第２電源動作確認判断手段の判断結果を表示する表示手段を備えること、
を特徴とする画像形成装置。
【発明の詳細な説明】
【技術分野】
【０００１】
本発明は、画像形成装置に電力を供給する電源装置からの供給電力を遮断するインターロックスイッチの誤動作の検出に関する。
【背景技術】
【０００２】
一般に、画像形成装置には、各所に配置された駆動モータなどの駆動源、露光ランプ及び加熱ヒータなどの多くの動力負荷に電力を供給する駆動負荷用の電源と、画像形成装置内の動力負荷の制御及び各種制御を行う制御用の電源として、交流電力を直接あるいは変圧して直流電力を生成する直流電源が備えられている。また、画像形成装置の外郭のカバーや格納部などの開閉機構が開けたり引き出されたりした場合、ユーザーが画像形成装置内部の動力負荷の動作中に誤って動力負荷に触れたりしてケガ等をしないよう、強制的に動力負荷を停止させるために、直流電源から動力負荷への電力供給路を遮断するインターロックスイッチが備えられている。
直流電源の瞬断の発生などにより電力供給が停止された場合は、電力供給路に大容量のコンデンサが接続されているため、コンデンサに蓄えられている電荷が完全に放電される前に開閉機構が開閉動作されインターロックスイッチが誤動作したと誤検知されてしまう問題があった。
【０００３】
そこで、特許文献１には、開閉機構に備えられたインターロックスイッチを監視する第１の監視手段と、電源からの電力供給を監視する第２の監視手段と、第１及び第２の監視手段からの監視結果に従って、インターロックスイッチの動作状態を判断する判断手段とを有する記録装置が開示されている（特許文献１参照）。
【特許文献１】特開２００３−１０３７６９号公報
【発明の開示】
【発明が解決しようとする課題】
【０００４】
しかしながら特許文献１記載の発明によれば、開閉機構の動作によってインターロックスイッチが動作して電源からの電力が遮断されたのか、過電流などによる電源電圧の低下や直流電源の瞬断の発生などによる異常であるのかを判断することが難しい。例えば、過電流が生じた場合、急激に直流電源の電圧が低下した後に電圧が復帰するため、開閉機構の開閉動作が瞬時に行われたと判断されるおそれがあり、ユーザ側が直流電源の異常発生に気が付かない可能性が高いという問題がある。
【０００５】
本発明の課題は、画像形成装置に係る開閉手段の動作と電源の異常発生とを区別して判断することである。
【課題を解決するための手段】
【０００６】
請求項１に記載の発明は、筐体に設けられた開閉手段の開閉に連動してオン／オフ動作するインターロックスイッチと、このインターロックスイッチのオン／オフ動作に依存して交流電源から第１の直流電圧を生成する第１直流安定化電源と、この第１直流安定化電源とは別に前記交流電源から第２の直流電圧を生成する第２直流安定化電源と、を備えた画像形成装置において、前記第１直流安定化電源から出力される第１直流電圧の監視を行う第１直流電圧監視手段と、前記開閉手段の開閉状態を検知する開閉検知手段と、前記開閉検知手段からの開閉状態検知信号の監視を行う開閉状態検知信号監視手段と、前記第１直流電圧監視手段からの電圧監視情報と前記開閉状態検知信号監視手段からの開閉監視情報とに基づいて、前記開閉手段の開閉状態の確認判断を行う開閉確認判断手段と、を備え、前記第１直流電圧監視手段、開閉検知手段、開閉状態検知信号監視手段及び開閉確認判断手段は、前記第２直流安定化電源から出力される第２の直流電圧の電力供給を受けるように構成されたこと、を特徴としている。
【０００７】
請求項２に記載の発明は、請求項１に記載の画像形成装置において、前記開閉確認判断手段は、前記第１直流電圧監視手段からの電圧監視情報及び前記開閉状態検知信号監視手段からの開閉監視情報に基づいて、前記第１直流安定化電源側及び前記第２直流安定化電源側の異常の判断を行うこと、を特徴としている。
【０００８】
請求項３に記載の発明は、請求項１又は２に記載の画像形成装置において、前記開閉確認判断手段は、前記第１直流電圧監視手段からの電圧監視情報が予め設定されている基準値に有る場合、かつ、前記開閉状態検知信号監視手段からの開閉監視情報が閉状態を示している場合、前記開閉手段は閉状態であると判断すること、を特徴としている。
【０００９】
請求項４に記載の発明は、請求項１から３のいずれか一項に記載の画像形成装置において、前記開閉確認判断手段は、前記第１直流電圧監視手段からの電圧監視情報が予め設定されている基準値に無い場合、かつ、前記開閉状態検知信号監視手段からの開閉監視情報が開状態を示している場合、前記開閉手段は開状態であると判断すること、を特徴としている。
【００１０】
請求項５に記載の発明は、請求項２から４のいずれか一項に記載の画像形成装置において、前記開閉確認判断手段は、前記第１直流電圧監視手段からの電圧監視情報が予め設定された基準値に無い場合、かつ、前記開閉状態検知信号監視手段の開閉監視情報が閉状態を示している場合、前記第１直流安定化電源側に異常が発生していると判断すること、を特徴としている。
【００１１】
請求項６に記載の発明は、請求項２から５のいずれか一項に記載の画像形成装置において、前記開閉確認判断手段は、前記第１直流電圧監視手段からの電圧監視情報が予め設定された基準値に有る場合、かつ、前記開閉状態検知信号監視手段の開閉監視情報が開状態を示している場合、前記第２直流安定化電源側に異常が発生していると判断すること、を特徴としている。
【００１２】
請求項７に記載の発明は、請求項１から６のいずれか一項に記載の画像形成装置において、前記第２直流安定化電源から分岐された電力供給路の出力電圧を監視する第２直流電圧監視手段と、前記第２直流電圧監視手段からの電圧監視情報が予め定められた基準値に無い場合、前記第２直流安定化電源から分岐された電力供給路に異常が発生していると判断する第２電源動作確認判断手段と、を備えること、を特徴としている。
【００１３】
請求項８に記載の発明は、請求項１から７のいずれか一項に記載の画像形成装置において、前記開閉確認判断手段及び／又は前記第２電源動作確認判断手段の判断結果を表示する表示手段を備えること、を特徴としている。
【００１４】
ここで、上記した画像形成装置とは、片面／両面コピー、濃度選択等の画像形成機能に加えて、ステイプル（綴じ）処理、小冊子（製本）処理等の綴じ処理や、ソート処理、パンチ処理等の後処理機能を含む装置の意である。
【発明の効果】
【００１５】
請求項１に記載の発明によれば、第１直流電圧監視手段からの電圧監視情報と開閉状態検知信号監視手段からの開閉監視情報とに基づいて、開閉手段の開閉状態を確認判断を行うことにより、開閉手段の開閉検知を多重化することができ、開閉状態の誤検知を低減することができる。また、第１直流電圧監視手段、開閉検知手段、開閉状態検知信号監視手段、開閉確認判断手段は第２直流安定化電源から出力される第２の直流電圧の電力供給を受けるため、第１直流安定化源電の異常にかかわらず開閉手段の開閉状態の確認判断を行うことができる。
【００１６】
請求項２に記載の発明によれば、請求項１と同様の効果を得られるのは勿論のこと、第１直流電圧監視手段からの電圧監視情報と開閉状態検知信号監視手段からの開閉監視情報とに基づいて、第１直流安定化電源側及び第２直流安定電源側の異常を判断することにより、第１直流安定化電源、第１直流安定化電源からの電力供給路及び第２直流安定化電源、第２直流安定化電源からの電力供給路の異常を判断することができる。そして、画像形成装置の動作停止は、開閉手段の開閉動作に伴ってインターロックスイッチが動作し電力供給が遮断されたことによる動作停止であるのか、又は、第１直流安定化電源及び第２直流安定化電源の異常による動作停止であるのかを、判別することができる。
【００１７】
請求項３に記載の発明によれば、請求項１又は２と同様の効果を得られるのは勿論のこと、電圧監視情報が予め設定されている基準値に有り、かつ、開閉監視情報が閉状態を示している場合、開閉手段が閉状態と判断されることにより、開閉手段の開閉検知を多重化することができ、確実に開閉手段が閉状態であることを判断することができる。
【００１８】
請求項４に記載の発明によれば、請求項１から３のいずれか一項と同様の効果を得られるのは勿論のこと、電圧監視情報が予め設定されている基準値に無く、かつ、開閉監視情報が開状態を示している場合、開閉手段が開状態と判断されることにより、開閉手段の開閉検知を多重化することができ、確実に開閉手段が開状態であることを判断することができる。
【００１９】
請求項５に記載の発明によれば、請求項２から４のいずれか一項と同様の効果を得られるのは勿論のこと、電圧監視情報が予め設定されている基準値に無く、かつ、開閉監視情報が閉状態を示している場合、第１直流安定化電源側の異常と判断されることにより、従来は、開閉手段が一瞬開閉動作され、インターロックスイッチが動作されることによる第１直流安定化電源の電圧低下だと判断されていたことが、第１直流安定化電源側（第１直流安定化電源、第１直流安定化電源からの電力供給経路上）に異常が発生していることと即座に判断することができ、インターロックスイッチの信頼性と、画像形成装置の安全性が向上される。
【００２０】
請求項６に記載の発明によれば、請求項２から５のいずれか一項と同様の効果を得られるのは勿論のこと、電圧監視情報が予め設定されている基準に有り、かつ、開閉監視情報が開状態を示している場合、第２直流安定化電源側の異常と判断されることにより、第２直流安定化電源側（第２直流安定化電源、第２直流安定化電源からの電力供給経路上）に異常が発生していることと即座に判断することができ、インターロックスイッチの信頼性と、画像形成装置の安全性が向上される。
【００２１】
請求項７に記載の発明によれば、請求項１から６のいずれか一項と同様の効果を得られるのは勿論のこと、第２直流安定化電源から分岐された電力供給路の出力電圧を監視する第２直流電圧監視手段からの電圧監視情報が予め設定された基準値に無い場合、第２直流安定化電源から分岐された電力供給路の異常と判断されることにより、各制御手段へ電力を供給している電力供給路上の異常検知を行うことができ、インターロックスイッチの信頼性と、画像形成装置の安全性が向上される。
【００２２】
請求項８に記載の発明によれば、請求項１から７のいずれか一項と同様の効果を得られるのは勿論のこと、開閉確認判断手段及び／又は第２電源動作確認判断手段の判断結果を表示する表示手段を備えることにより、各種異常を迅速にユーザに警告することができるため、各種異常への対応が早期に行われることが期待できる。
【発明を実施するための最良の形態】
【００２３】
以下、図を参照して本発明の実施の形態を詳細に説明する。
まず、構成を説明する。
図１は、本実施の形態における画像形成装置１を模式的に示した斜視図である。
図１に示すように、画像形成装置１は、本体１０と後処理部２０とから構成される。
【００２４】
本体１０は、画像読取部１１と、プリンタ部１２とから構成されている。
画像読取部１１は、光源、レンズ、ＣＣＤ（Charge Coupled Device）等からなるスキャナを備えて構成され、原稿画像を読み取るスキャナ面に設置された原稿に照射した光の反射光を結像して光電変換することにより原稿画像を読み取り、プリンタ部２０に出力する。また、スキャナは、画像を読み取る原稿をスキャナ面に搬送する読取原稿搬送部１１ａが設けられている。ここで、原稿画像とは、図形や写真等のイメージデータに限らず、文字や記号等のテキストデータ等も含む意である。
【００２５】
プリンタ部１２は、画像形成部、クリーニング部、中間転写ベルト、給紙部、定着部などを備えて構成される。
【００２６】
後処理部２０は、本体１０から画像形成された複数の記録媒体を束にして綴じるステイプル（綴じ）処理、小冊子（製本）処理等の綴じ処理や、ソート処理、パンチ処理等の後処理を実行して排紙トレイへ出力する。
【００２７】
画像形成装置１の筐体は、原稿を直接スキャナ面に搬送することができるよう構成されている読取原稿搬送部１１ａと、画像形成部、クリーニング部、中間転写ベルト、定着部が収容された開閉可能な前カバー１２ａと、記録媒体を積載する給紙格納部１２ｂと、画像形成装置１に関する情報が操作及び表示される表示手段としての操作表示部（図示略）などから構成されている。図１には、前カバー１２ａが開かれた状態、給紙格納部１２ｂが手前に引き出された状態、後処理部２０の開閉部が開かれた状態を示している。
【００２８】
このように画像形成装置１の筐体には、記録媒体が画像形成装置１内部で紙詰まり状態になった場合や、不具合が生じた場合などを解消するために、前カバー１２ａ、給紙格納部１２ｂ、後処理部２０の開閉部などの開閉手段としての開閉機構が開閉可能に設けられており、各開閉機構には、動力負荷用の電源からの電力供給を遮断するインターロックスイッチを有している。
【００２９】
例えば、ユーザが紙詰まりを解消させるために後処理部２０の開閉部を開いた場合、本体１０から搬送されてきた記録媒体を後処理するときに駆動されるローラが誤動作する可能性がある。そのため、誤動作したローラに指や手を挟んだりしないよう、動力負荷用の電源から動力系統への電力供給を遮断するインターロックスイッチを有している。
【００３０】
図２は、本実施の形態における本体１０と後処理部２０との制御ブロック図を示す。
図２に示すように、本体１０は、画像形成装置１各部の動作の集中制御を行う本体制御部１００と、本体制御部１００を駆動させる第２直流安定化電源としての第２直流電源ＤＣ２などから構成されている。
【００３１】
本体制御部１００は、ＣＰＵ（Central Processing Unit）１１０、通信部１２０、操作表示部１３０、図示しないＲＯＭ（Read Only Memory）、ＲＡＭ（Random Access Memory）などにより構成され、各部は通信手段としてのバスにより接続されている。
【００３２】
ＣＰＵ１１０は、ＲＯＭ内に記憶されている画像形成装置１を制御するためのシステムプログラム、各処理プログラム、データをＲＡＭ内読み出して展開し、展開されたプログラムとの協働により、画像形成装置１各部の動作の集中制御を行う。システム全体のタイミング制御、ＲＡＭを使用した画像データの記憶及び蓄積制御、画像読取部１１などから送られてきた画像データの画像処理（変倍、フィルタ、γ変換など）、プリンタ部１２に対する画像データの出力、操作表示部１３０の入出力制御、通信部１２０を介して入力されるデータに応じた処理の実行、他のアプリケーション（ＦＡＸ、プリンタ、スキャナ等）とのインターフェイス（Ｉ／Ｆ）や動作制御を行うものである。
【００３３】
本発明を実現するために、ＣＰＵ１１０は、第２電源動作確認判断手段としての第２判断部１１１と、第２直流電圧監視手段としての第３監視部１１２とを有している。
第２判断部１１１は、後述する第３監視部１１２から入力される第２電圧監視情報に基づいて第２ｂ電源ＤＣ２２の状態の判断を行う。また、第２ｂ電源ＤＣ２２の状態の判断結果と、後処理部２０から入力された後述する異常信号Ｓｅとに基づいて操作表示部１３０に表示するよう制御を行う。
第３監視部１１２は、後述する第２ｂ電源ＤＣ２２の出力電圧としての第２電圧検知信号Ｓ３の監視を行う。
【００３４】
なお、図示しないＲＯＭ内には、画像形成装置１に対応するプログラムやデータなどがあらかじめ記憶されており、システムプログラム、当該システムに対応する各種処理プログラム、各種処理プログラムで処理するのに必要なデータを記憶している。
【００３５】
また、図示しないＲＡＭは、ＣＰＵ１１０により制御実行される各種処理において、ＲＯＭから読み出されたプログラム、入力、若しくは出力データ及びパラメータなどの一時的な格納領域となる。
【００３６】
通信部１２０は、本体１０と後処理部２０との間でのシリアル通信などによる異常信号Ｓｅ、制御信号、操作信号等の入出力を行う。
【００３７】
操作表示部１３０は、ＬＣＤ（Liquid Crystal Display）により構成され、ＣＰＵ１１０からの指示に従って異常信号Ｓｅに基づく情報や、第２判断部１１１の判断結果を受けて表示画面上に表示を行う。また、各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０１に出力する。また、操作表示部１３０は、数字ボタン、スタートボタン等の各種操作ボタンを備え、ボタン操作による操作信号をＣＰＵ１１０に出力する。
【００３８】
第２直流電源ＤＣ２は、商用電源などの交流電源からの交流電力を直接或いは変圧し直流電力に変換する。変換された直流電力は分岐され、本体制御部１００、後処理制御部２００、負荷駆動回路部３００の駆動用電源として供給される。第２直流電源ＤＣ２から出力される直流電力の電圧は、例えば５Ｖである。
【００３９】
後処理部２０は、後処理制御部２００と、負荷駆動回路部３００と、図示しないモータなどの動力負荷などによって構成されている。
後処理制御部２００は、ＣＰＵ２１０、通信部２２０、図示しないＲＯＭ、ＲＡＭ、などにより構成され、各部は通信手段としてのバスにより接続されている。また、後処理制御部２００を駆動させる第２ｂ電源ＤＣ２２を有している。
【００４０】
ＣＰＵ２１０は、ＲＯＭ内に記憶されている後処理部２０を制御するためのシステムプログラム、各処理プログラム、データをＲＡＭ内読み出して展開し、展開されたプログラムとの協働により、後処理部２０各部の動作の制御を行う。後処理部２０内のタイミング制御、ＲＡＭを使用したデータの記憶及び蓄積制御、通信部２２０を介して入力されるデータに応じた処理の実行を行うものである。
【００４１】
本発明を実現するために、ＣＰＵ２１０は、開閉確認判断手段としての第１判断部２１１と、第１直流電圧監視手段としての第１監視部２１２と、開閉状態検知信号監視手段としての第２監視部２１３とを有している。
第１判断部２１１は、後述する第１監視部２１２からの電圧監視情報としての第１電圧監視情報と、第２監視部２１３からの開閉監視情報とに基づいて後処理部２０の開閉部３１０の開閉状態と第１直流電源ＤＣ１側と第２ａ電源ＤＣ２１側との異常を判断する。そして判断された結果は、異常信号Ｓｅとして通信部２２０を介して本体制御部１００に出力するよう制御する。
第１監視部２１２は、後述する第１電圧検知回路部３２０からの第１電圧検知信号Ｓ１の監視を行う。
第２監視部２１３は、後述する開閉検知手段としての開閉検知部３１２からの開閉状態検知信号Ｓ２の監視を行う。
【００４２】
なお、図示しないＲＯＭ内には、後処理部２０に対応するプログラムやデータなどがあらかじめ記憶されており、システムプログラム、当該システムに対応する各種処理プログラム、各種処理プログラムで処理するのに必要なデータを記憶している。
【００４３】
また、図示しないＲＡＭは、ＣＰＵ２１０により制御実行される各種処理において、ＲＯＭから読み出されたプログラム、入力、若しくは出力データ及びパラメータなどの一時的な格納領域となる。
【００４４】
通信部２２０は、本体１０と後処理部２０との間でのシリアル通信などによる異常信号Ｓｅ、制御信号、操作信号等の入出力を行う。
【００４５】
第２ｂ電源ＤＣ２２は、第２直流電源ＤＣ２からの出力電力が分岐された後処理制御部２００を駆動されるための電源である。
【００４６】
負荷駆動回路部３００は、後処理部２０の開閉部３１０、第１電圧検知回路部３２０、第１直流安定化電源としての第１直流電源ＤＣ１、後処理部２０内の各処理動作を行うためのローラ等を駆動させるモータなどの動力負荷を駆動させるドライバＤＶ、第２ａ電源ＤＣ２１など有している。
【００４７】
開閉部３１０は、インターロックスイッチ３１１と、開閉検知部３１２とを有している。
インターロックスイッチ３１１は、開閉部３１０が開けられたとき、商用交流電源などの交流電源から負荷駆動回路部３００に供給されている電源供給路を電気的に遮断する機構を有している。交流電源からの入力電力は、インターロックスイッチ３１１を介して、第１直流電源ＤＣ１に入力される。
開閉検知部３１２は、開閉部３１０の開閉状態の検知を行い、開閉状態検知信号Ｓ２を第２監視部２１３に出力する。開閉状態検知信号Ｓ２としては、マイクロスイッチ、フォトインタラプタなどからの信号を用いることができる。
【００４８】
第１直流電源ＤＣ１は、商用電源などの交流電源からの交流電力を直接或いは変圧し直流電力に変換する。変換された直流電力は、後処理部２０の動力負荷の駆動用電源として供給される。第１直流電源ＤＣ１から出力される直流電力の電圧は、例えば２４Ｖである。
【００４９】
第１電圧検知回路部３２０は、第１直流電源ＤＣ１の出力電圧の検出を行い、検出電圧を第１電圧検知信号Ｓ１として第１監視部２１２に出力する。
【００５０】
第１直流電源ＤＣ１から供給される直流電力は、ヒューズなどの保護素子Ｆを介してモータなどを駆動させるドライバＤＶに供給されドライバＤＶを駆動させる。ドライバＤＶは、モータなどの動力負荷を動作させる。
【００５１】
第２ａ電源ＤＣ２１は、第２直流電源ＤＣ２の出力電力が分岐された開閉検知部３１２、第１電圧検知回路部３２０などの負荷駆動回路部３００内の各制御手段を駆動させるための電源である。
【００５２】
図３は、図２に示す制御ブロック図の主な構成要素を抽出した制御ブロック図である。
第１直流電源ＤＣ１からの直流電力は、第１電圧検知回路部３２０と、保護素子Ｆとを介して各動力負荷に供給される。
【００５３】
第２直流電源ＤＣ２からの直流電力は本体制御部１００に供給される他に、負荷駆動回路部３００の駆動用電源としての第２ａ電源ＤＣ２１、後処理制御部２００の駆動用電源としての第２ｂ電源ＤＣ２２に分岐供給される。
【００５４】
更に詳しくは、第２ａ電源ＤＣ２１からの直流電力は、第１電圧検知回路部３２０と、開閉検知部３１２とを駆動させる。
第１電圧検知回路３２０は、第１直流電源ＤＣ１の出力電圧を検出し、検出された電圧値はオープンコレクタ出力され、第１電圧検知信号Ｓ１として第１監視部２１２に入力される。
【００５５】
開閉検知部３１２は、後処理部２０の開閉状態を検出し、検出された開閉状態はオープンコレクタ出力され、開閉状態検知信号Ｓ２として第２監視部２１３に入力される。
【００５６】
第２ｂ電源ＤＣ２２からの直流電力は、後処理制御部２００内に供給される。即ち、第１判断部２１１、第１監視部２１２、第２監視部２１３を駆動させる。
【００５７】
第１監視部２１２は、第１電圧検知回路部３２０からの第１電圧検知信号Ｓ１を監視し、第１電圧検知信号Ｓ１に基づく第１電圧監視情報を第１判断部２１１に出力する。
第１電圧監視情報は、第１監視部２１２に入力された第１電圧検知信号Ｓ１が“Ｈ”の場合、第１直流電源の出力電圧は正常であることを示し、“Ｌ”の場合、第１直流電源の出力電圧は異常である（即ち、低電圧状態又は保護素子Ｆが切れた状態などの異常状態である）ことを示す。
【００５８】
第２監視部２１３は、開閉検知部３１２からの開閉状態検知信号Ｓ２を監視し、開閉状態検知信号Ｓ２に基づく開閉監視情報を第１判断部２１１に出力する。
開閉監視情報は、第２監視部２１３に入力された開閉状態検知信号Ｓ２が“Ｈ”の場合、開閉部３１０は開かれた状態であることを示し、“Ｌ”の場合、開閉部３１０は閉じられた状態であることを示す。
【００５９】
第１判断部２１１は、入力された第１電圧監視情報と、開閉監視情報とに基づいて、開閉部３１０の開閉状態と第１直流電源ＤＣ１側及び第２ａ電源ＤＣ２１側の異常とを判断する。
従来は、インターロックスイッチが動作して第１直流電源からの供給電力が停止されているのか、瞬断等による第１直流電源の電圧低下や保護素子が切れた状態（第１直流電源側の異常）による供給電力が停止れているのかを判断することができなかった。第１電圧監視情報と開閉監視情報とを用いて判断基準を多重化することで、判別することが可能となる。
【００６０】
図４に、第１判断部２１１による判断動作フローを示し、図６（ａ）に第１判断部２１１の論理表を示す。
開閉状態検知信号Ｓ２が“Ｌ”（即ち、開閉部３１０が閉状態）であるかが判断される（ステップＳ１）。
開閉状態検知信号Ｓ２が“Ｌ”の場合（ステップＳ１；Ｙｅｓ）、第１電圧検知信号Ｓ１が“Ｈ”（即ち、第１直流電源ＤＣ１の出力電圧は正常）であるかが判断される（ステップＳ２）。第１電圧検知信号Ｓ１が“Ｈ”である場合（ステップＳ２；Ｙｅｓ）、後処理部２０は閉状態であると判断される。
【００６１】
第１電圧検知信号Ｓ１が“Ｈ”でない場合（ステップＳ２；Ｎｏ）、第１直流電源ＤＣ１が異常であると判断される（ステップＳ４）。第１直流電源ＤＣ１が異常であるため、操作表示部１３０の表示画面上に第１直流電源ＤＣ１が異常状態であるというエラー表示が表示される（ステップＳ５）。
【００６２】
開閉状態検知信号Ｓ２が“Ｌ”でない場合（ステップＳ２；Ｎｏ）、第１電圧検知信号Ｓ１が“Ｈ”であるかが判断される（ステップＳ６）。第１電圧検知信号Ｓ１が“Ｈ”である場合（ステップＳ６；Ｙｅｓ）、第２ａ電源ＤＣ２１が異常であると判断される（ステップＳ７）。第２ａ電源ＤＣ２１が異常であるため、操作表示部１３０の表示画面上に第２ａ電源ＤＣ２２が異常状態であるというエラー表示が表示される（ステップＳ８）。
【００６３】
第１電圧検知信号Ｓ１が“Ｈ”でない場合（ステップＳ６；Ｎｏ）、後処理部２０は開状態であると判断される（ステップＳ９）。後処理部２０が開状態であるため、操作表示部１３０の表示画面上に後処理部２０が開状態であるというエラー表示が表示される（ステップＳ１０）。
【００６４】
第２電源ＤＣ２からの直流電力は、本体制御部１００内に供給される。即ち、第２判断部１１１、第３監視部１１２を駆動させる。
【００６５】
第３監視部１１２は、第２ｂ電源ＤＣ２２のオープンコレクタ出力された出力電圧（即ち、第２電圧検知信号Ｓ３）を監視し、第２電圧検知信号Ｓ３に基づく第２電圧監視情報を第２判断部１１１に出力する。
第２電圧監視情報は、第２監視部１１１に入力された第２電圧検知信号Ｓ３が“Ｈ”の場合、第２ｂ直流電源ＤＣ２２の出力電圧は正常であることを示し、“Ｌ”の場合、第２ｂ直流電源ＤＣ２２の出力電圧は異常である（即ち、低電圧状態又は保護素子Ｆが切れた状態などの異常状態である）ことを示す。
【００６６】
第２判断部１１１は、入力された第２電圧監視情報に基づいて、第２ｂ電源ＤＣ２２側の異常を判断する。
【００６７】
図５に、第２判断部１１１による判断動作フローを示し、図６（ｂ）に第２判断部１１１の論理表を示す。
第２電圧検知信号Ｓ３が“Ｈ”（即ち、第２ｂ電源ＤＣ２の出力電圧は正常）であるかが判断される（ステップＳ１１）。
第２電圧検知信号Ｓ３が“Ｈ”の場合（ステップＳ１１；Ｙｅｓ）、第２ｂ電源ＤＣ２２は正常であると判断される（ステップＳ１２）。
【００６８】
第２電圧検知信号Ｓ３が“Ｈ”でない場合（ステップＳ１１；Ｎｏ）、第２ｂ電源ＤＣ２２は異常であると判断される（ステップＳ１３）。第２ｂ電源ＤＣ２２が異常であるため、操作表示部１３０の表示画面上に第２ｂ電源ＤＣ２２が異常状態であるというエラー表示が表示される（ステップＳ１４）。
【００６９】
このように、画像形成装置１の動作停止は、開閉部３１０の開閉動作に伴ってインターロックスイッチ３１１が動作し電力供給が遮断されたことによる動作停止であるのか、又は、第１直流電源ＤＣ１側及び第２直流電源ＤＣ２側の異常による動作停止であるのかを、判別することができる。
【００７０】
従って、第１監視部２１２からの第１電圧監視情報と第２監視部２１３からの開閉監視情報とに基づいて、開閉部３１０の開閉状態を判断することにより、開閉部３１０の開閉検知を多重化することができ、確実に開閉部３１０が閉状態であるのか又は開状態であるのかを判断することができ、開閉状態の誤検知、即ちインターロックスイッチの誤認識を低減することができる。
【００７１】
更に、第１直流電源ＤＣ１及び第２直流電源ＤＣ２の異常又は第１直流電源ＤＣ１及び第２直流電源ＤＣ２からの電力供給路の異常を検出することができるため、第１直流電源ＤＣ１側の異常と判断された場合、従来は、一瞬開閉手段が開閉動作されることによるインターロックスイッチの動作による第１安定化電源側の電圧低下だと判断されていたことが、過電流などの発生による第１直流電源ＤＣ１の出力電圧の急激な低下又は電力供給経路上の動力負荷や駆動部品の故障などによる出力電圧の低下等の異常が発生していることと即座に判断することができ、第２直流電源ＤＣ２側の異常と判断された場合、第２直流電源ＤＣ２又は電力供給経路上に異常が発生していることと即座に判断することができ、インターロックスイッチの信頼性と、画像形成装置の安全性が向上する。
【００７２】
第２直流電源ＤＣ２から分岐された電力供給路である第２ｂ電源ＤＣ２２の出力電圧を監視する第３監視部１１２からの第２電圧監視情報が予め設定された基準値に無い場合、第２ｂ電源ＤＣ２２の異常と判断されることにより、第１監視部２１２、第２監視部２１３、第１判断部２１１への電力供給路上の異常検知を行うことができ、更にインターロックスイッチ３１１の信頼性と、画像形成装置１の安全性が向上する。
【００７３】
第１判断部２１１及び第２判断部１１１の判断結果を操作表示部の表示画面上に表示することにより、各種異常を迅速にユーザに警告することができるため、各種異常への対応を早期に行うことができる。
【００７４】
なお、本実施の形態では、第１電圧検知信号Ｓ１が“Ｈ”の場合、第１直流電源の出力電圧は正常であることを示し、第１電圧検知信号Ｓ１が“Ｌ”の場合、第１直流電源の出力電圧は異常であることを示しているが、“Ｌ”の場合に異常、“Ｈ”の場合に正常であることを示してもよく、第１直流電源の出力電圧の状態を検出することができればこの限りではない。
【００７５】
また、開閉状態検知信号Ｓ２が“Ｈ”の場合、後処理部２０は開かれた状態であることを示し、開閉状態検知信号Ｓ２が“Ｌ”の場合、後処理部２０は閉じられた状態であることを示しているが、“Ｈ”の場合に閉じられた状態を示し、“Ｌ”の場合に開かれた状態を示してもよく、後処理部２０の開閉状態を検出することができればこの限りではない。
【００７６】
第２電圧検知信号Ｓ３が“Ｈ”の場合、第２ｂ電源の出力電圧は正常であることを示し、第２電圧検知信号Ｓ３が“Ｌ”の場合、第２ｂ電源の出力電圧は異常であることを示しているが、“Ｌ”の場合に異常、“Ｈ”の場合に正常であることを示してもよく、第２ｂ電源の出力電圧の状態を検出することができればこの限りではない。
【００７７】
更に、本実施の形態では、後処理部２０の開閉動作と電源の異常を検出し、操作表示部に報知する例について説明したが、本体の前カバー１２ａ、給紙格納部１２ｂなどの開閉機構の開閉動作と電源の異常とを検出し、操作表示部に報知する場合にも適用することができることは明白である。
【図面の簡単な説明】
【００７８】
【図１】本実施の形態における画像形成装置１を模式的に示した斜視図である。
【図２】本実施の形態における本体１０と後処理部２０との制御ブロック図である。
【図３】図２に示す制御ブロック図の主な構成要素を抽出した制御ブロック図である。
【図４】第１判断部２１１による判断動作フローである。
【図５】第２判断部１１１による判断動作フローである。
【図６】第１判断部２１１の論理表と、第２判断部１１１の論理表である。
【符号の説明】
【００７９】
１  画像形成装置
１０  本体
１１  画像読取部
１１ａ  読取原稿搬送部
１２  プリント部
１２ａ  前カバー
１２ｂ  給紙格納部
１００  本体制御部
１１０  ＣＰＵ
１１１  第２判断部
１１２  第３監視部
１２０  通信部
１３０  操作表示部
２０  後処理部
２００  後処理制御部
２１０  ＣＰＵ
２１１  第１判断部
２１２  第１監視部
２１３  第２監視部
２２０  通信部
３００  負荷駆動回路部
３１０  開閉部
３１１  インターロックスイッチ
３１２  開閉検知部
３２０  第１電圧検知回路部
ＤＣ１  第１直流電源
ＤＣ２  第２直流電源
ＤＣ２１  第２ａ電源
ＤＣ２２  第２ｂ電源
ＤＶ  ドライバ
Ｆ  保護素子
【図１】
2005157204.tif 000003
【図２】
2005157204.tif 000004
【図３】
2005157204.tif 000005
【図４】
2005157204.tif 000006
【図５】
2005157204.tif 000007
【図６】
2005157204.tif 000008